(57)【要約】      （修正有）【課題】レンズ付きフェルールが破壊等されることなく、ＭＴフェルールがレンズ付きフェルールに対し容易に動くことのなく固定することができるフェルール接続部品を提供する。【解決手段】第１のフェルール１０と第２のフェルール２０とを固定するフェルール接続部品１００において、一方の端部に設けられた第１のバネ１２０と、他方の端部に設けられた第２のバネ１３０と、第１のバネ１２０と第２のバネ１３０との間に設けられ、第１のフェルール１０と第２のフェルール２０との間に配置される仕切部１４０と、を有し、第１のバネ１２０は、第１のフェルール１０を前記仕切部の側に押し、第２のバネ１３０は、第２のフェルール２０を仕切部の側に押す。【選択図】図１
2017138535.tif 000002
【特許請求の範囲】
【請求項１】
第１のフェルールと第２のフェルールとを固定するフェルール接続部品において、
一方の端部に設けられた第１のバネと、
他方の端部に設けられた第２のバネと、
前記第１のバネと前記第２のバネとの間に設けられ、前記第１のフェルールと前記第２のフェルールとの間に配置される仕切部と、を有し、
前記第１のバネは、前記第１のフェルールを前記仕切部の側に押し、
前記第２のバネは、前記第２のフェルールを前記仕切部の側に押すことを特徴とするフェルール接続部品。
【請求項２】
前記フェルール接続部品は、
前記第１のバネ及び前記仕切部が形成された第１の接続部材と、
前記第２のバネが形成された第２の接続部材とを有し、
前記第１の接続部材と前記第２の接続部材とを接続することにより、前記第１のフェルールと前記第２のフェルールとが固定されることを特徴とする請求項１に記載のフェルール接続部品。
【請求項３】
第１のフェルールと第２のフェルールとを固定するフェルール接続部品において、
一方の端部に設けられた第１のバネと、
他方の端部に設けられた第２のバネと、
前記第１のバネと前記第２のバネとの間に設けられ、前記第１のフェルールを支持するフェルール支持部と、
を有し、
前記第１のバネと前記フェルール支持部との間で前記第１のフェルールを固定し、
前記第１のフェルールと前記第２のバネとの間で前記第２のフェルールを固定することを特徴とするフェルール接続部品。
【請求項４】
固定されている前記第１のフェルールと前記第２のフェルールとの間には、仕切部が形成されていることを特徴とする請求項３に記載のフェルール接続部品。
【請求項５】
第１のフェルールと第２のフェルールとを固定するフェルール接続部品において、
前記第１のフェルールと前記第２のフェルールとが入れられる凹部を有するケースと、
前記凹部に被せられて、前記ケースに固定され、少なくとも前記第２のフェルールを支持する第２の支持部を有する支持部材と、
を有し、
前記凹部は、前記第１のフェルールを支持する第１の支持部を有し、
前記第１の支持部と、前記第２の支持部とにより、前記第１のフェルール及び前記第２のフェルールが固定されることを特徴とするフェルール接続部品。
【請求項６】
前記フェルール接続部品により固定された前記第１のフェルールと前記第２のフェルールは、光モジュール内に設置されるものであって、
前記フェルール接続部品には、前記光モジュールの筐体に取り付けるためのねじ穴が設けられていることを特徴とする請求項１から５のいずれかに記載のフェルール接続部品。
【請求項７】
光モジュール内に設置される第１のフェルールと第２のフェルールとを固定するフェルール接続部品において、
一方の端部に設けられた第１のバネと、
他方の端部に設けられた第２のバネと、
を有し、
前記第１のバネと前記第２のバネとの間に前記第１のフェルールと前記第２のフェルールが挟まれ、
前記フェルール接続部品は前記光モジュールの筐体に固定されることを特徴とするフェルール接続部品。
【発明の詳細な説明】
【技術分野】
【０００１】
本発明は、フェルール接続部品に関する。
【背景技術】
【０００２】
スーパーコンピュータ、ハイエンドサーバーの高速インターフェースにおける通信においては、銅等の電線ケーブルが用いられていたが、信号の高速伝送化に対応し、かつ、伝送距離を長くすることが可能な光通信が普及しつつある。
【０００３】
例えば、IBTA EDR（登録商標）、100G Ethernet（登録商標）等の規格で検討されているインターフェースは、伝送距離が数十ｍと長いため光通信が用いられており、電気信号を光信号に変換するための光モジュールが用いられている。光モジュールは、光ケーブルから入力した光信号を電気信号に変換して出力し、電気信号を光信号に変換して光ケーブルへと出力する。
【０００４】
光モジュールは、筐体内部に、電気信号を光信号に変換する発光素子、光信号を電気信号に変換する受光素子、発光素子を駆動する駆動回路、電流を電圧に変換するＴＩＡ（Trans Impedance Amplifier）等が設けられている。発光素子、受光素子、駆動回路、ＴＩＡ等は、筐体内部のプリント基板に搭載されており、発光素子及び受光素子とレンズ付きフェルールとの間は光導波路により接続されている。
【０００５】
光モジュールの筐体内部には、ＭＴフェルールとレンズ付きフェルールとが、位置合わせされて光コネクタ用クリップと呼ばれるフェルール接続部品により固定された状態で入れられている。
【先行技術文献】
【特許文献】
【０００６】
【特許文献１】特開２０１５−２３１４３号公報
【特許文献２】特開２０１１−７５８１４号公報
【特許文献３】特開２００５−３２６５２３号公報
【特許文献４】特開２０１０−２２４３５３号公報
【発明の概要】
【発明が解決しようとする課題】
【０００７】
レンズ付きフェルールとＭＴフェルールは、クリップの両端に設けられたバネの一方をレンズ付きフェルールの端に、他方をＭＴフェルールの端に接触させて、レンズ付きフェルールとＭＴフェルールとをバネで挟んで固定される。また、ＭＴフェルールには光ケーブルが接続される。従って、クリップによりＭＴフェルールとレンズ付きフェルールとが固定されている状態で光ケーブルが引っ張られると、ＭＴフェルールが動き、レンズ付きフェルールに対しＭＴフェルールの位置がずれてしまい、フェルール間で光損失が生じる場合がある。
【０００８】
このため、クリップのバネ力を強くし、光ケーブルが引っ張られても、ＭＴフェルールが容易には動かないようにすることが考えられる。しかしながら、レンズ付きフェルールは透明な樹脂材料で形成されており、ＭＴフェルールと比較すると強度があまり高くはないため、クリップのバネ力が強すぎると、レンズ付きフェルールにクラックが入り破壊されてしまう場合がある。
【０００９】
このため、レンズ付きフェルールが破壊されることなく、ＭＴフェルールがレンズ付きフェルールに対し動くことのないフェルール接続部品が求められている。
【課題を解決するための手段】
【００１０】
本実施の形態の一観点によれば、第１のフェルールと第２のフェルールとを固定するフェルール接続部品において、一方の端部に設けられた第１のバネと、他方の端部に設けられた第２のバネと、前記第１のバネと前記第２のバネとの間に設けられ、前記第１のフェルールと前記第２のフェルールとの間に配置される仕切部と、を有し、前記第１のバネは、前記第１のフェルールを前記仕切部の側に押し、前記第２のバネは、前記第２のフェルールを前記仕切部の側に押すことを特徴とする。
【発明の効果】
【００１１】
開示のフェルール接続部品によれば、レンズ付きフェルールが破壊等されることなく、ＭＴフェルールがレンズ付きフェルールに対し動くことのないように固定することができる。
【図面の簡単な説明】
【００１２】
【図１】第１の実施の形態におけるフェルール接続部品の斜視図
【図２】第１の実施の形態におけるフェルール接続部品によりレンズ付きフェルールとＭＴフェルールとが固定されている状態の構造図
【図３】第１の実施の形態におけるフェルール接続部品によりレンズ付きフェルールとＭＴフェルールとが固定されている状態の斜視図
【図４】第１の実施の形態におけるフェルール接続部品が用いられている光モジュールの分解斜視図
【図５】第２の実施の形態におけるフェルール接続部品の斜視図
【図６】第２の実施の形態におけるフェルール接続部品によりレンズ付きフェルールとＭＴフェルールとが固定されている状態の構造図
【図７】第２の実施の形態におけるフェルール接続部品によりレンズ付きフェルールとＭＴフェルールとが固定されている状態の斜視図
【図８】第３の実施の形態におけるフェルール接続部品の斜視図
【図９】第３の実施の形態におけるフェルール接続部品によりレンズ付きフェルールとＭＴフェルールとが固定されている状態の構造図
【図１０】第３の実施の形態におけるフェルール接続部品によりレンズ付きフェルールとＭＴフェルールとが固定されている状態の斜視図
【図１１】第３の実施の形態におけるフェルール接続部品への接続方法の工程図
【図１２】第３の実施の形態における他のフェルール接続部品の斜視図
【図１３】第３の実施の形態における他のフェルール接続部品によりレンズ付きフェルールとＭＴフェルールとが固定されている状態の構造図
【図１４】第３の実施の形態における他のフェルール接続部品によりレンズ付きフェルールとＭＴフェルールとが固定されている状態の斜視図
【図１５】第４の実施の形態におけるフェルール接続部品の斜視図
【図１６】第４の実施の形態におけるフェルール接続部品によりレンズ付きフェルールとＭＴフェルールとが固定されている状態の構造図
【図１７】第４の実施の形態におけるフェルール接続部品によりレンズ付きフェルールとＭＴフェルールとが固定されている状態の斜視図
【図１８】第５の実施の形態におけるフェルール接続部品の斜視図
【発明を実施するための形態】
【００１３】
本発明を実施するための形態について、以下に説明する。尚、同じ部材等については、同一の符号を付して説明を省略する。
【００１４】
〔第１の実施の形態〕
第１の実施の形態によるフェルール接続部品を、図１から図３に基づき説明する。図１は、本実施の形態によるフェルール接続部品、レンズ付きフェルール、ＭＴフェルールの斜視図である。図２（ａ）は、フェルール接続部品によりレンズ付きフェルールとＭＴフェルールとが固定されている状態の平面図であり、図２（ｂ）は正面図であり、図２（ｃ）は底面図であり、図２（ｄ）は左側面図であり、図２（ｅ）は右側面図であり、図３は斜視図である。
【００１５】
本実施の形態によるフェルール接続部品１００（以下「接続部品」と記載する場合がある）は、図１に示されるように、レンズ付きフェルール１０とＭＴフェルール２０とを相互に固定する。レンズ付きフェルール１０とＭＴフェルール２０とは、２本のガイドピン３０をレンズ付きフェルール１０とガイド穴とＭＴフェルール２０とに設けられたガイド穴に各々入れ、フェルール同士を位置合わせした状態で固定される。
【００１６】
接続部品１００は、打ち抜かれた一枚の金属板を折り曲げ加工することにより形成されており、本体１１０の一方の端部に設けられた第１のバネ１２０、他方の端部に設けられた第２のバネ１３０、中央部分に設けられた仕切部１４０、不図示の光モジュールの筐体に取り付けるためのねじ穴１５０を有している。
【００１７】
第１のバネ１２０は、金属板端部を略Ｕ字状に曲げることにより仕切部１４０に向かって付勢するように形成されており、一方の端部の左右に合わせて２つ形成されている。第２のバネ１３０は、金属板端部を曲げることにより仕切部１４０に向かって付勢するように形成されており、他方の端部の左右に合わせて２つ形成されている。仕切部１４０は、金属板の中程をコの字状に切り込み、切り込まれた部分を金属板の表面に対し略垂直に第１のバネ１２０及び第２のバネ１３０が設けられる側に折り曲げることにより形成されている。仕切部１４０の中央部分には、レンズ付きフェルール１０とＭＴフェルール２０との間の光路を確保するため、開口部１４１が設けられている。ねじ穴１５０は、金属板の中程の両側に設けられている。
【００１８】
接続部品１００においては、レンズ付きフェルール１０は、第１のバネ１２０と仕切部１４０との間に入れられ、ＭＴフェルール２０は、第２のバネ１３０と仕切部１４０との間に入れられる。この状態においては、レンズ付きフェルール１０は、不図示の光導波路が接続される側の端面１２で第１のバネ１２０により仕切部１４０側に押されている。一方、ＭＴフェルール２０は、不図示の光ケーブルが接続される側の端面２１で第２のバネ１３０により仕切部１４０側に押されている。このように、レンズ付きフェルール１０とＭＴフェルール２０とが接続部品１００により固定されている。
【００１９】
接続部品１００では、第１のバネ１２０は、第２のバネ１３０よりもそのばね力が弱くなるように形成されている。具体的には、第１のバネ１２０は第２のバネ１３０よりも弱く、レンズ付きフェルール１０が破壊されない程度のばね力を有している。一方、ＭＴフェルール２０は、第２のバネ１３０は第１のバネ１２０よりも強いばね力で仕切部１４０側に押されている。従って、ＭＴフェルール２０に接続される光ケーブルが引っ張られても、ＭＴフェルール２０の位置がずれることはない。
【００２０】
尚、接続部品１００により、レンズ付きフェルール１０とＭＴフェルール２０とが固定されている状態では、レンズ付きフェルール１０とＭＴフェルール２０との間に仕切部１４０が存在しており、レンズ付きフェルール１０とＭＴフェルール２０との接続部分には仕切部１４０の厚さの分だけ隙間が生じる。しかしながら、レンズ付きフェルール１０に設けられたレンズにより集光した光がＭＴフェルール２０に入射するため、レンズ付きフェルール１０とＭＴフェルール２０との間に隙間が生じていても、レンズ付きフェルール１０とＭＴフェルール２０との間において、光損失等が生じることはない。
【００２１】
（光モジュール）
次に、接続部品１００により固定されたレンズ付きフェルール１０とＭＴフェルール２０とが組み込まれる光モジュールについて、図４に基づき説明する。
【００２２】
光モジュールは、るフェルール接続部品１００により固定されたレンズ付きフェルール１０及びＭＴフェルール２０、プリント基板４０、光導波路４８が、アウターケース下部５１とアウターケース上部５２とにより形成される筐体内に入れられており、光ケーブル６０が接続されている。
【００２３】
プリント基板４０には、ＦＰＣ（Flexible Printed Circuits）４２が接続されるコネクタ４１が設けられている。ＦＰＣ４２には、電気信号を光信号に変換するＶＣＳＥＬ（Vertical Cavity Surface Emitting LASER）等の発光素子４３及び光信号を電気信号に変換するフォトダイオード等の受光素子４４が搭載されている。また、プリント基板４０には発光素子４３を駆動する駆動ＩＣ４５、受光素子４４から出力される電流を電圧に変換するＴＩＡ４６、外部との接続のための接続端子４７が設けられている。プリント基板４０は、アウターケース下部５１に設置される。
【００２４】
光導波路４８はフレキシブルなシート状の光導波路であり、光導波路４８の一方の端はＦＰＣ４２に接続されている。レンズ付きフェルール１０とＭＴフェルール２０とは、本実施の形態におけるフェルール接続部品１００により挟まれた状態で光モジュールに設置されている。
【００２５】
光導波路４８の他方の端は、レンズ付きフェルール１０側に接続されている。光導波路４８とレンズ付きフェルール１０との接続部分はフェルールブーツ４９により保護されている。レンズ付きフェルール１０とＭＴフェルール２０は、アウターケース下部５１に設置される。接続部品１００には２カ所にねじ穴１５０が設けられており、アウターケース下部５１に設けられた２カ所のねじ穴５１ａとねじ穴１５０とが位置合わせがなされた状態で、ねじ５３によりねじどめされる。このように接続部品１００をアウターケース下部５１にねじどめすることにより、レンズ付きフェルール１０とＭＴフェルール２０が接続部品１００を介しアウターケース下部５１に固定される。
【００２６】
光ケーブル６０には、スリーブ６１ａ、６１ｂがカシメリング６２により固定されている。スリーブ６１ａ、６１ｂが固定されている光ケーブル６０の上下より、ケーブルブーツ７１、７２が被せられ、プルタブ／ラッチ部７３が取り付けられる。
【００２７】
アウターケース下部５１に、レンズ付きフェルール１０とＭＴフェルール２０がフェルール接続部品１００により固定され、プリント基板４０が載置されている状態で、アウターケース上部５２がアウターケース下部５１に被せられ、アウターケース上部５２のねじ穴５２ａと、アウターケース下部５１のねじ穴５１ｂとを位置合わせした状態で、ねじ５４によりねじどめされる。
【００２８】
〔第２の実施の形態〕
次に、第２の実施の形態によるフェルール接続部品を、図５から図７に基づき説明する。図５は、本実施の形態によるフェルール接続部品、レンズ付きフェルール、ＭＴフェルールの斜視図である。図６（ａ）は、フェルール接続部品により、レンズ付きフェルールとＭＴフェルールとが固定されている状態の平面図であり、図６（ｂ）は正面図であり、図６（ｃ）は底面図であり、図６（ｄ）は左側面図であり、図６（ｅ）は右側面図であり、図７は斜視図である。
【００２９】
図５の接続部品２００は、図５に示されるように、レンズ付きフェルール１０とＭＴフェルール２０とを相互に固定する。レンズ付きフェルール１０とＭＴフェルール２０とは、２本のガイドピン３０をレンズ付きフェルール１０に設けられたガイド穴とＭＴフェルール２０に設けられたガイド穴に各々入れて両者を位置合わせした状態で接続部品２００により固定される。
【００３０】
接続部品２００は、第１の接続部材２１０と第２の接続部材２６０を有する。第１の接続部材２１０は、一方の端部に設けられた第１のバネ２２０と、他方の端部近傍に設けられた仕切部２４０と、光モジュールの筐体に取り付けるためのねじ穴２５０を有している。また、第２の接続部材２６０と接続するために、第１の接続部材２１０の他方の端部近傍には第１の接続穴２３１が設けられており、仕切部２４０には第２の接続穴２３２が設けられている。
【００３１】
第２の接続部材２６０の一方の端部には、曲げることにより形成された第２のバネ２７０が形成されている。他方の端部の下側には、第１の接続部材２１０の第１の接続穴２３１に対応した下部フック２６１が設けられており、上側には、第１の接続部材２１０の第２の接続穴２３２に対応した上部フック２６２が設けられている。
【００３２】
本実施の形態では、第１のバネ２２０よりも第２のバネ２７０のバネの力の方が強くなるように形成されている。従って、第１の接続部材２１０よりも第２の接続部材２６０が厚く形成されている。尚、第１のバネ２２０よりも第２のバネ２７０のバネの力が強ければ、第１の接続部材２１０と第２の接続部材２６０は異なる材料により形成してもよい。例えば、第１の接続部材２１０を樹脂材料により形成し、第２の接続部材２６０を金属材料により形成してもよい。金属材料は、一般的に、樹脂材料よりも剛性が高く、強いばね性が得られる場合が多いからである。
【００３３】
第１の接続部材２１０の第１のバネ２２０は、金属板の一方の端部を略Ｕ字状に曲げることにより仕切部２４０に向かって付勢するように形成されており、左右に合わせて２つ形成されている。仕切部２４０は、金属板の他方端部をコの字状に切り込み、切り込まれた部分を金属板の表面に対し略垂直に第１のバネ２２０が設けられる側に折り曲げることにより形成されている。仕切部２４０の中央部分には、レンズ付きフェルール１０とＭＴフェルール２０との間の光路を確保するための開口２４１が設けられている。ねじ穴２５０は、金属板の両側に設けられている。第２の接続部材２６０の第２のバネ２７０は、金属板を側面から見てＵ字状になるように曲げて形成されている。
【００３４】
レンズ付きフェルール１０は、仕切部２４０と第１のバネ２２０との間に入れることにより、レンズ付きフェルール１０の不図示の光導波路が接続される側の端面１２が、第１のバネ２２０により仕切部２４０側に押された状態で接続部品２００に設置される。
【００３５】
また、ＭＴフェルール２０は、Ｕ字状の第２の接続部材２６０の内側に入れられ、第１の接続穴２３１に下部フック２６１を入れ、第２の接続穴２３２に上部フック２６２を入れることにより、接続部品２００に設置される。これにより、ＭＴフェルール２０は、仕切部２４０と第２のバネ２７０との間に挟まれて固定される。第２のバネ２７０により、ＭＴフェルール２０の光ケーブルが接続される側の端面２１が仕切部２４０側に強く押されて固定されているため、ＭＴフェルール２０に接続される光ケーブルが引っ張られても、ＭＴフェルール２０の位置がずれることはない。
【００３６】
尚、接続部品２００によりレンズ付きフェルール１０とＭＴフェルール２０とが固定されている状態では、レンズ付きフェルール１０とＭＴフェルール２０との間に仕切部２４０が存在している。このため、レンズ付きフェルール１０とＭＴフェルール２０との接続部分では、仕切部２４０の厚さの分だけ隙間が生じるが、レンズ付きフェルール１０のレンズにより集光した光がＭＴフェルール２０に入射するため、レンズ付きフェルール１０とＭＴフェルール２０との間に隙間が生じていても光損失が生じることはない。
【００３７】
尚、上記以外の内容については、第１の実施の形態と同様である。
【００３８】
〔第３の実施の形態〕
次に、第３の実施の形態によるフェルール接続部品について、図８から図１０に基づき説明する。図８は、本実施の形態によるフェルール接続部品、レンズ付きフェルール、ＭＴフェルールの斜視図である。図９（ａ）は、フェルール接続部品により、レンズ付きフェルールとＭＴフェルールとが固定されている状態の平面図であり、図９（ｂ）は正面図であり、図９（ｃ）は底面図であり、図９（ｄ）は左側面図であり、図９（ｅ）は右側面図であり、図１０は斜視図である。
【００３９】
図８に示す接続部品３００により、レンズ付きフェルール１０とＭＴフェルール２０とが相互に固定される。フェルール接続部品３００は、金属板を加工して形成され、本体３１０の一方の端部に設けられた第１のバネ３２０、他方の端部に設けられた第２のバネ３３０、中央部分に設けられた仕切部３４０、光モジュールの筐体に取り付けるためのねじ穴３５０を有している。
【００４０】
第１のバネ３２０は金属板の一方の端部を曲げることにより仕切部３４０に向かって付勢するように形成されており、左右に合わせて２つ形成されている。第２のバネ３３０も金属板端部を内側に曲げることにより仕切部３４０に向かって付勢するように形成されており、左右に合わせて２つ形成されている。第２のバネ３３０の端部には、ＭＴフェルール２０をスナップフィットにより固定するための引っ掛け部３３１が形成されている。仕切部３４０は、金属板の中程をコの字状に切り込み、切り込まれた部分を金属板の表面に対し略垂直に第１のバネ３２０及び第２のバネ３３０が設けられる側に折り曲げることにより形成されている。仕切部３４０の中央部分には、レンズ付きフェルール１０とＭＴフェルール２０との間の光路を確保する開口３４１が設けられている。ねじ穴３５０は、金属板の中程の両側に設けられている。
【００４１】
レンズ付きフェルール１０は、第１のバネ３２０と仕切部３４０との間に入れられ、ＭＴフェルール２０は、仕切部３４０と引っ掛け部３３１との間に入れられる。この状態では、レンズ付きフェルール１０は不図示の光導波路が接続される側の端面１２で第１のバネ３２０により仕切部３４０側に押されており、ＭＴフェルール２０の光ケーブルが接続される側の端面２１は引っ掛け部３３１と接触し、ＭＴフェルール２０は、引っ掛け部３３１と仕切部３４０との間に挟まれている。この状態で、フェルール接続部品３００により、レンズ付きフェルール１０とＭＴフェルール２０とが固定される。
【００４２】
次に、接続部品３００へのレンズ付きフェルール１０及びＭＴフェルール２０の接続について図１１に基づき説明する。
【００４３】
図１１（ａ）は、フェルール接続部品３００、レンズ付きフェルール１０、ＭＴフェルール２０、２本のガイドピン３０が分離している状態を示している。
【００４４】
図１１（ｂ）に示すようにフェルール接続部品３００の第１のバネ３２０と仕切部３４０との間に、図面の上方向よりレンズ付きフェルール１０を入れる。フェルール接続部品３００の第１のバネ３２０と仕切部３４０との間にはフェルール支持部３２１が設けられており、レンズ付きフェルール１０の光導波路が接続される接続固定部１１は、レンズ付きフェルール１０の他の部分よりも幅広く形成されている。本実施の形態では、接続固定部１１を第１のバネ３２０とフェルール支持部３２１との間に入れることにより、レンズ付きフェルール１０の光導波路が接続される側の端面１２が第１のバネ３２０によりフェルール支持部３２１側に押され、接続固定部１１が第１のバネ３２０とフェルール支持部３２１とで挟まれた状態で、フェルール接続部品３００に設置される。
【００４５】
次に、図１１（ｃ）に示すように、図面の左側より、レンズ付きフェルール１０に２本のガイドピン３０を入れる。
【００４６】
次に、図１１（ｄ）に示すように、２本のガイドピン３０にＭＴフェルール２０を入れることにより、接続部品３００にＭＴフェルール２０を設置する。具体的には、レンズ付きフェルール１０が設置されているフェルール接続部品３００の引っ掛け部３３１の奥までガイドピン３０に沿ってＭＴフェルール２０を入れることにより、ＭＴフェルール２０の端面２１が引っ掛け部３３１により押さえられる。ＭＴフェルール２０を接続部品３００に入れる際には第２のバネ３３０が撓むが、ＭＴフェルール２０が引っ掛け部３３１の奥まで入ると、第２のバネ３３０のばね力により引っ掛け部３３１が内側に戻り、ＭＴフェルール２０の端面２１と引っ掛け部３３１とが接触し、端面２１が引っ掛け部３３１により押さえられる。ＭＴフェルール２０が入れられる方向は、レンズ付きフェルール１０との接続方向であり、この方向に沿ってＭＴフェルール２０を接続部品３００に入れることにより、ＭＴフェルール２０をフェルール接続部品３００に設置できる。よって、ＭＴフェルール２０に光ケーブルが接続されていても、容易にフェルール接続部品３００に設置することができる。
【００４７】
また、フェルール接続部品３００にＭＴフェルール２０が設置されている状態では、ＭＴフェルール２０の端面２１が、引っ掛け部３３１により押さえられている。よって、ＭＴフェルール２０に接続されている光ケーブルが引っ張られても、ＭＴフェルール２０の位置がずれることはない。
【００４８】
上記においては、フェルール接続部品に仕切部３４０が設けられている構造のものについて説明したが、図１２から図１４に示すように、接続部品３００が仕切部３４０の設けられていない構造のものであってもよい。この場合、接続固定部１１がフェルール支持部３２１と第１のバネ３２０との間に挟まれ設置され、ＭＴフェルール２０は、レンズ付きフェルール１０と引っ掛け部３３１との間に挟まれて設置される。尚、図１２は、接続部品、レンズ付きフェルール、ＭＴフェルールの斜視図である。図１３（ａ）は、接続部品により、レンズ付きフェルールとＭＴフェルールとが固定されている状態の平面図であり、図１３（ｂ）は正面図であり、図１３（ｃ）は底面図であり、図１３（ｄ）は左側面図であり、図１３（ｅ）は右側面図であり、図１４は斜視図である。
【００４９】
〔第４の実施の形態〕
次に、第４の実施の形態によるフェルール接続部品について、図１５から図１７に基づき説明する。図１５は、本実施の形態によるフェルール接続部品、レンズ付きフェルール、ＭＴフェルールの斜視図である。図１６（ａ）は、フェルール接続部品により、レンズ付きフェルールとＭＴフェルールとが固定されている状態の平面図であり、図１６（ｂ）は正面図であり、図１６（ｃ）は底面図であり、図１６（ｄ）は左側面図であり、図１６（ｅ）は右側面図であり、図１７は斜視図である。
【００５０】
図１５の接続部品４００は、レンズ付きフェルール１０とＭＴフェルール２０とを固定する。レンズ付きフェルール１０とＭＴフェルール２０とは、ガイドピン３０をレンズ付きフェルール１０とＭＴフェルール２０とに設けられたガイド穴に入れて両者が位置合わせされた状態で固定される。
【００５１】
接続部品４００は、インナーケース４１０と、ＭＴフェルール２０を支持する支持部材４２０とを有する。インナーケース４１０には、レンズ付きフェルール１０及びＭＴフェルール２０が入る凹部４１１が設けられている。凹部４１１の一方の側には、レンズ付きフェルール１０が接する第１の支持部４１２が設けられている。また、インナーケース４１０の両側には、支持部材４２０を固定するためのねじ穴４１３が設けられている。支持部材４２０には、ＭＴフェルール２０を支持するバネ力を有する第２の支持部４２１と、ねじ穴４２２が設けられている。
【００５２】
本実施の形態では、インナーケース４１０は所望の形状に容易に加工できる樹脂材料により形成されており、支持部材４２０は、金属材料により形成されている。
【００５３】
本実施の形態では、レンズ付きフェルール１０及びＭＴフェルール２０をインナーケース４１０の凹部４１１に入れ、上から支持部材４２０を被せて、インナーケース４１０と支持部材４２０とをねじどめすることにより、レンズ付きフェルール１０とＭＴフェルール２０とを互いに接続された状態で固定する。
【００５４】
この状態では、レンズ付きフェルール１０の光導波路が接続される側の端面１２は第１の支持部４１２に接している。また、ＭＴフェルール２０は、第２の支持部４２１により、ＭＴフェルール２０の光ケーブルが接続される側の端面２１（→図面に符号追記要）からレンズ付きフェルール１０の側に押されている。
【００５５】
レンズ付きフェルール１０及びＭＴフェルール２０は、互いに凹部４１１に入れられて固定されているため、レンズ付きフェルール１０及びＭＴフェルール２０の両側面は、凹部４１１の側壁と接している。よって、レンズ付きフェルール１０及びＭＴフェルール２０は、４方向への移動が制限されている。
【００５６】
本実施の形態では、レンズ付きフェルール１０とＭＴフェルール２０とは、凹部４１１の第１の支持部４１２と第２の支持部４２１との間で挟まれた状態で設置されている。また、レンズ付きフェルール１０及びＭＴフェルール２０は凹部４１１に入れられているため、レンズ付きフェルール１０に対しＭＴフェルール２０がずれることはない。従って、ＭＴフェルール２０に接続されている光ケーブルが引っ張られても、ＭＴフェルール２０の位置がずれることはない。
【００５７】
〔第５の実施の形態〕
次に、第５の実施の形態によるフェルール接続部品について、図１８に基づき説明する。
【００５８】
図１８のフェルール接続部品５００により、レンズ付きフェルール１０とＭＴフェルール２０とが固定される。フェルール接続部品５００は金属板を加工して形成され、本体５１０の一方の端部に設けられた第１のバネ５２０、他方の端部に設けられた第２のバネ５３０、不図示の光モジュールの筐体に取り付けるためのねじ穴５５０等を有している。
【００５９】
第１のバネ５２０は、金属板を曲げて形成され、左右に合わせて２つ形成されている。第２のバネ５３０も金属板を曲げて形成され、左右に合わせて２つ形成されている。ねじ穴５５０は、金属板の中程の両側に合わせて２つ設けられている。
【００６０】
本実施の形態では、互いに接続されている状態のレンズ付きフェルール１０とＭＴフェルール２０とが第１のバネ５２０と第２のバネ５３０により挟まれて固定される。本実施の形態では、レンズ付きフェルール１０とＭＴフェルール２０とを固定している接続部品５００を、ねじ穴５５０を用いて光モジュールの筐体にねじどめする。
【００６１】
以上、本発明の実施に係る形態について説明したが、上記内容は、発明の内容を限定するものではない。
【符号の説明】
【００６２】
１０        レンズ付きフェルール
２０        ＭＴフェルール
３０        ガイドピン
１１０      本体
１２０      第１のバネ
１３０      第２のバネ
１４０      仕切部
１４１      開口部
１５０      ねじ穴
【図１】
2017138535.tif 000003
【図２】
2017138535.tif 000004
【図３】
2017138535.tif 000005
【図４】
2017138535.tif 000006
【図５】
2017138535.tif 000007
【図６】
2017138535.tif 000008
【図７】
2017138535.tif 000009
【図８】
2017138535.tif 000010
【図９】
2017138535.tif 000011
【図１０】
2017138535.tif 000012
【図１１】
2017138535.tif 000013
【図１２】
2017138535.tif 000014
【図１３】
2017138535.tif 000015
【図１４】
2017138535.tif 000016
【図１５】
2017138535.tif 000017
【図１６】
2017138535.tif 000018
【図１７】
2017138535.tif 000019
【図１８】
2017138535.tif 000020